(57)【要約】【課題】電源部を介して外部電源を供給されて駆動する駆動部を有するスクリュードライバにおいて、連結ビスを用いることなく、ネジ締めに使用するネジを保持しておくことを可能としてネジの扱いを容易とし、かつ、スクリュードライバの非使用時や収納時等に、これらネジや工具を保持状態から離脱させることを容易とする。【解決手段】外部電源を供給される電源部と、この電源部から駆動電源を供給されて駆動する駆動部と、この駆動部により回転操作されるネジ締め用工具取付部３と、電源部から電源を供給されて励磁する電磁石部６とを備え、電磁石部６は、駆動部を収納する外筐体１の一側部又は両側部に設置されており、電源部から電源を供給されて励磁しているときに、ネジ締め用工具取付部３に取付けられるネジ締め用工具２に装着されるネジ７を吸着する。【選択図】  図１
2007111778.tif 000002
【特許請求の範囲】
【請求項１】
外部電源を供給される電源部と、
前記電源部から駆動電源を供給されて駆動する駆動部と、
前記駆動部により回転操作されるネジ締め用工具取付部と、
前記電源部から電源を供給されて励磁する電磁石部と
を備え、
前記電磁石部は、前記駆動部を収納する外筐体の一側部又は両側部に設置されており、前記電源部から電源を供給されて励磁しているときに、前記ネジ締め用工具取付部に取付けられるネジ締め用工具に装着されるネジを吸着する
ことを特徴とするスクリュードライバ。
【発明の詳細な説明】
【技術分野】
【０００１】
本発明は、ネジ締め、または、ネジ外しに使用することのできるスクリュードライバに関し、特に、ボード用スクリュードライバに関する。
【背景技術】
【０００２】
従来、電源部を介して外部電源を供給されて駆動する駆動部を有するスクリュードライバが提案されている。この駆動部は、ネジ締め用工具が取付けられるネジ締め用工具取付部を回転操作する。このスクリュードライバにおいては、ネジ締め用工具取付部にネジ締め用工具（ビット）を取付けておくことにより、ネジ締め、やネジ外しを高速に行うことができる。
【０００３】
従来、このようなスクリュードライバを用いたネジ締めに使用するネジの扱いが煩雑であった。すなわち、従来のスクリュードライバは、ネジを収容しておく機能を有しないことから、作業者は、作業用上着のポケットや腰ベルトに付いた工具袋やケースにネジを入れておき、または、口中にネジを入れておき、必要な時に取り出してネジ締めを行う方法が一般的に行われている。しかし、上着のポケット等からネジを取り出すには、腕を大きく動かさねばならないことから面倒であり、ネジ本数が増えれば、その分だけ作業時間がかかることになるし、ポケット等に手を入れた際にネジで指先を負傷することもある。また、口中にネジを入れることは、口中を負傷する可能性があって危険であり、衛生上も好ましくない。
【０００４】
しかも、作業箇所に視線を合わせているときに、ポケット等に入ったネジを取り出すときには、視線が作業箇所からポケット等に移ってしまうことがあり、この場合には、視線を再び作業箇所に合わせることが必要となり、その作業が上向きの作業であれば首を上下に振るような動作を伴うことになり、作業効率の低下や肉体的な苦痛が招来される。そのため、ポケット等よりも口中にネジを入れておいたほうが作業効率が良いということになり、口中を負傷する危険や衛生上の問題が一層助長されることになる。なお、ボード用スクリュードライバにおいては、上向きの作業において使用することが多い。
【０００５】
また、ネジ締め作業は、天井などのボードに穴あけしてからネジ締めするという具合に、穴あけ、ネジ締めが連続した作業となる場合がある。この場合には、スクリュードライバに穴あけ用工具（キリ）とネジ締め用工具（ビット）を順番に付け替える作業が必要となり、腰ベルトに付けたケースや工具袋からキリやビットを出し入れする手間も必要となる。
【０００６】
従来、特許文献１に記載されているように、スクリュードライバの外筐体に永久磁石を装着しておき、この永久磁石にネジや工具を吸着させておく構成が提案されている。
【０００７】
また、複数本のネジが連結された連結ビスを用いて、この連結ビスをなすネジを順次ネジ締め用工具に供給することができるようにしたスクリュードライバが提案されている。
【０００８】
【特許文献１】特開２００４−３０６２２１公報
【発明の開示】
【発明が解決しようとする課題】
【０００９】
ところで、特許文献１に記載されたスクリュードライバにおいては、永久磁石によってネジや工具を吸着させているため、ネジや工具が常に吸着されており、スクリュードライバの非使用時や収納時等に、これらネジや工具を永久磁石から引き離すことが困難である。したがって、この永久磁石としては、あまり強い磁力を発揮するものを使用することができないため、吸着できるネジの本数にも限界がある。
【００１０】
そして、連結ビスを用いるようにしたスクリュードライバにおいては、使用できるネジの種類が限定されてしまい、また、ネジの価格も高いものになってしまうため、普及には限界がある。
【００１１】
本発明は、前述の実情に鑑みて提案されるものであって、電源部を介して外部電源を供給されて駆動する駆動部を有するスクリュードライバにおいて、連結ビスを用いることなく、ネジ締めに使用するネジを保持しておくことを可能としてネジの扱いを容易とし、かつ、スクリュードライバの非使用時や収納時等に、これらネジや工具を保持状態から離脱させることが容易となされたスクリュードライバを提供しようとするものである。
【課題を解決するための手段】
【００１２】
前述の課題を解決するため、本発明に係るスクリュードライバは、以下の構成を有するものである。
【００１３】
すなわち、本発明に係るスクリュードライバは、外部電源を供給される電源部と、この電源部から駆動電源を供給されて駆動する駆動部と、この駆動部により回転操作されるネジ締め用工具取付部と、電源部から電源を供給されて励磁する電磁石部とを備え、電磁石部は、駆動部を収納する外筐体の一側部又は両側部に設置されており、電源部から電源を供給されて励磁しているときに、ネジ締め用工具取付部に取付けられるネジ締め用工具に装着されるネジを吸着することを特徴とするものである。
【００１４】
なお、電磁石部は、電源部から電源を供給されて励磁しているときには、ネジ以外にも、穴あけ用工具等をも吸着することができる。この場合には、穴あけからネジ締めまでの作業中における工具交換も迅速に行うことができる。
【発明の効果】
【００１５】
本発明に係るスクリュードライバにおいては、電磁石部が、電源部から電源を供給されて励磁しているときに、ネジ締めに使用するネジを吸着して保持するので、連結ビスを用いることなく、腕を少し動かすだけでネジの取り出し及び取り外しが可能となり、ネジを作業着等や口中から出し入れする手間が省け、ネジの扱いが容易となり、ネジ締め及びネジ外しの作業時間を短縮することができる。
【００１６】
すなわち、作業箇所を視野に入れたままの状態で、スクリュードライバの外筐体の一側部又は両側部に設置された電磁石に吸着されているネジを作業箇所に運んだり、その逆に作業箇所から外したネジを電磁石に吸着させることが容易にでき、視線を殆ど動かさずに済むことになり、ネジ締め及びネジ外し作業の時間短縮を図ることができる。そして、上向きの作業である場合には、首を殆ど動かさずにすむことから、肉体的な負担も軽減され、足場の悪い箇所で作業する場合にも、作業時間の短縮によって安全性を高めることができる。したがって、本発明は、上向きの作業において使用することが多いボード用スクリュードライバに適用して特に好適である。
【００１７】
また、このスクリュードライバにおける電磁石部は、電源部から電源を供給されて励磁しているときのみに、ネジを吸着するので、スクリュードライバの非使用時や収納時等には、電磁石部への電源供給を遮断すれば、ネジを保持状態から離脱させることが容易となる。
【００１８】
そして、このスクリュードライバにおいては、電磁石部は、外部電源を供給される電源部から電源を供給されて励磁するので、バッテリーを駆動電源として使用するスクリュードライバと異なり、電磁石部として強力な磁力を発揮するものを使用することができる。なお、電磁石部として強力な磁力を発揮するものを用いても、電磁石部への電源供給を遮断すれば、ネジを保持状態から容易に離脱させることかできるので、問題がない。
【００１９】
さらに、このスクリュードライバにおいては、電磁石部にネジが吸着されるかどうかによって、このスクリュードライバに対する外部電源の供給の有無を明確に判断することができるので、スクリュードライバの非使用時や収納時等において外部電源の供給を遮断することを忘れることがなく、安全性が向上される。
【００２０】
なお、このスクリュードライバにおける電磁石部は、電源部から電源を供給されて励磁しているときには、ネジ以外にも、穴あけ用工具等をも吸着することができ、穴あけからネジ締めまでの作業中における工具交換も迅速に行うことを可能とすることができる。
【００２１】
すなわち、本発明は、電源部を介して外部電源を供給されて駆動する駆動部を有するスクリュードライバにおいて、連結ビスを用いることなく、ネジ締めに使用するネジを保持しておくことを可能としてネジの扱いを容易とし、かつ、スクリュードライバの非使用時や収納時等に、これらネジや工具を保持状態から離脱させることが容易となされたスクリュードライバを提供することができるものである。
【発明を実施するための最良の形態】
【００２２】
以下、図面を参照して、本発明を実施するための最良の形態について説明する。
【００２３】
図１は、本発明に係るスクリュードライバの構成を示す側面図である。
【００２４】
本発明に係るスクリュードライバは、図１に示すように、外筐体１を有し、この外筐体１の先端側部分に、ネジ締め用工具であるビットや穴あけ用工具であるキリ等の工具２を着脱可能に取り付けることができるネジ締め用工具取付部３を有している。外筐体１は、ピストル状（Ｔ字状、あるいは、逆Ｌ字状）に構成されており、後方側に握り部４を備えている。
【００２５】
外筐体１内には、後述するように、電源コード５を介していわゆる電灯線等の外部電源を供給される電源部と、この電源部から駆動電源を供給されて駆動するモータを有する駆動部とが内蔵されている。この駆動部は、ネジ締め用工具取付部３を回転操作する。
【００２６】
また、このスクリュードライバは、電源部から電源を供給されて励磁する電磁石部６を備えている。この電磁石部６は、外筐体１の一側部又は両側部に設置されている。この電磁石部６は、電源部から電源を供給されて励磁しているときに、ネジ締め用工具取付部３に取付けられる工具２に装着されるネジ７を吸着する。なお、この電磁石部６は、電源部から電源を供給されて励磁しているときには、ネジ７以外にも、穴あけ用工具等をも吸着することができる。
【００２７】
握り部４内には、電源部から駆動部のモータへの配線が収納されており、握り部４の上側のスイッチ８を押すと、駆動部への電源供給がなされ、工具２が回転（正転・逆転）され、スイッチ８を離すと、工具２の回転が停止する。
【００２８】
電磁石部６は、先端面が平面状に形成されたヨークと、図示しない励磁コイルとから構成されている。この電磁石部６のヨークは、透磁性材料により形成されており、先端面を外筐体１の一側部又は両側部より外方側に臨ませて設置されている。電磁石部６が励磁されているときに発揮する磁力は、スクリュードライバでの作業による振動が加わっても、ネジ７等を電磁石部６により保持した態を維持できる程度となっている。なお、この電磁石部６を設置する位置は、図１に示したような、外筐体１の上方側部分の側面部に限定されることなく、外筐体１の下方側部分や、外筐体１の下部と握り部４とを繋ぐ部分などとしてもよい。
【００２９】
なお、このスクリュードライバにおいて、電磁石部６に穴あけ用工具等を吸着させた場合には、穴あけからネジ締めまでの作業中における工具交換を迅速に行うことができる。
【００３０】
図２は、本発明に係るスクリュードライバの構成を示すブロック図である。
【００３１】
このスクリュードライバは、図２に示すように、電源コード５を介していわゆる電灯線等の外部電源を供給される電源部９と、この電源部９から駆動電源を供給されて駆動する駆動部１０とを有している。電源部９は、外部電源として交流電源を供給され、この交流電源を整流及び降圧（または、昇圧）して所定電圧の直流電源を供給する。駆動部１０は、前述したように、ネジ締め用工具取付部３を回転操作する。
【００３２】
また、電磁石部６は、電源部９から電源を供給されて励磁する。この電磁石部６に供給される電源は、直流でも交流でもよい。この図２に示す構成においては、電源部９に外部電源が供給されている状態においては、常に、電磁石部６の励磁コイルに給電がされ、電磁石部６が励磁されるようになっているが、電源部９と電磁石部６との間にスイッチを設け、このスイッチが投入されたときだけに電磁石部６が励磁されるようにしてもよい。
【００３３】
駆動部１０は、モータ１５を有している。このモータ１５は、例えば、３相のブラシレス直流モータであって、Ｕ相、Ｖ相及びＷ相の駆動信号がインバータ回路２１から供給される。インバータ回路２１は、６個のスイッチングトランジスタから構成され、モータ１５のＹ結線された３相のコイルに双方向の駆動電流を流して駆動するバイポーラ駆動を行う。バイポーラ駆動の方法としては、１２０°通電矩形波駆動法が挙げられる。インバータ回路２１は、直流電源である電源部９から電流平滑コンデンサー２０を介して直流電流が供給される。
【００３４】
モータ１５には、回転検出素子である３つのホール素子Ｈ１、Ｈ２、Ｈ３（以下、総称する場合はＨと記す）が設けられ、永久磁石を内蔵した回転子の各相毎の磁極変化に対応した回転信号Ｓ１、Ｓ２、Ｓ３（以下、総称する場合はＳと記す）をそれぞれ出力する。３個のホール素子Ｈから出力された検出信号Ｓは、三相分配回路２２に入力される。三相分配回路２２には、ＰＷＭ（パルス幅変調）信号を作成するＰＷＭ作成回路２４と回転方向切換回路２６とが接続されている。
【００３５】
ＰＷＭ作成回路２４には、スイッチ８の引き加減でモータ１５の予め定める基準回転速度に対応する速度指令信号が出力される。回転方向切換回路２６には、回転方向指令スイッチ２３から回転方向を設定する回転方向信号が出力される。これらスイッチ８及び回転方向指令スイッチ２３は、トリガー式スイッチなどの操作スイッチ類などによって実現され、作業者の事前の設定によって所定の回転速度及び回転方向が設定されるものである。
【００３６】
ＰＷＭ作成回路２４からは、モータ１５の回転速度すなわち前記駆動信号のデューティに対応するＰＷＭ波形が出力され、回転方向切換回路２６からは、モータ１５の所定の回転方向に対応した三相の駆動信号の各相間の位相差に対応する信号が出力される。また、電源部９とインバータ回路２１との間の電源ライン３０には、例としてサーミスタなどの温度検出素子を含んで構成される過電流・熱保護回路２９が接続され、過電流・熱保護回路２９が検出した制御回路１８付近の温度に対応する温度信号が三相分配回路２２に入力される。
【００３７】
三相分配回路２２から出力される信号は、ロック保護回路２７を介してゲートドライブ回路２８に入力される。ゲートドライブ回路２８はインバータ回路２１を構成しているスイッチングトランジスタをオン・オフ制御する。ロック保護回路２７は、駆動信号がモータ１５に出力されているにも関わらず、モータ１５の回転が３個のホール素子Ｈからの回転信号Ｓによっては検出されないことが三相分配回路２２によって検出されると、三相分配回路２２からの別途出力されるロック信号によって、三相分配回路２２からのゲートドライブ回路２８への信号を強制的に遮断する回路である。
【００３８】
過電流・熱保護回路２９から出力された温度信号が入力された三相分配回路２２は、検出された温度が仕様設定温度を超えると、ＰＷＭ波形のパルス幅を強制的に狭め、モータ１５の出力を低下させて、モータ１５のそれ以上の発熱を防止するようにする。
【００３９】
このように構成された本発明に係るスクリュードライバにおいては、電磁石部６が、電源部９から電源を供給されて励磁しているときに、ネジ締めに使用するネジ７を吸着して保持するので、連結ビスを用いることなく、腕を少し動かすだけでネジの取り出し及び取り外しが可能となり、ネジを作業着等や口中から出し入れする手間が省け、ネジの扱いが容易となり、ネジ締め及びネジ外しの作業時間を短縮することができる。
【００４０】
本発明に係るスクリュードライバにおいては、作業箇所を視野に入れたままの状態で、スクリュードライバの外筐体の一側部又は両側部に設置された電磁石に吸着されているネジを作業箇所に運んだり、その逆に作業箇所から外したネジを電磁石に吸着させることが容易にでき、視線を殆ど動かさずに済むことになり、ネジ締め及びネジ外し作業の時間短縮を図ることができる。そして、上向きの作業である場合には、首を殆ど動かさずにすむことから、肉体的な負担も軽減され、足場の悪い箇所で作業する場合にも、作業時間の短縮によって安全性を高めることができる。したがって、本発明は、上向きの作業において使用することが多いボード用スクリュードライバに適用して特に好適である。
【００４１】
また、このスクリュードライバにおける電磁石部６は、電源部９から電源を供給されて励磁しているときのみに、ネジ７を吸着するので、スクリュードライバの非使用時や収納時等には、電磁石部６への電源供給を遮断すれば、ネジ７を保持状態から離脱させることが容易である。
【００４２】
そして、このスクリュードライバにおいては、電磁石部６は、電源部９から電源を供給されて励磁するので、バッテリーを駆動電源として使用するスクリュードライバと異なり、強力な磁力を発揮するものを使用することができる。なお、電磁石部６として強力な磁力を発揮するものを用いても、電磁石部６への電源供給を遮断すれば、ネジ７を保持状態から容易に離脱させることかできるので、問題が生じない。
【００４３】
さらに、このスクリュードライバにおいては、電磁石部６にネジ７が吸着されるかどうかによって、このスクリュードライバに対する外部電源の供給の有無を明確に判断することができ、スクリュードライバの非使用時や収納時等において外部電源の供給を遮断することを忘れることがなく、安全性が向上されている。
【図面の簡単な説明】
【００４４】
【図１】本発明に係るスクリュードライバの構成を示す側面図である。
【図２】前記スクリュードライバの構成を示すブロック図である。
【符号の説明】
【００４５】
１    外筐体
２    ネジ締め用工具
３    ネジ締め用工具取付部
６    電磁石部
７    ネジ
９    電源部
１０  駆動部
【図１】
2007111778.tif 000003
【図２】
2007111778.tif 000004